(57)【特許請求の範囲】
【請求項１】
ラップフィルムを巻き付けるためのコアにおいて、
文字、図形若しくは記号又はこれらの結合等からなる残量表示標識が外部から見うるように付されていることを特徴とするラップフィルム用のコア。
【請求項２】
最外周部分に表面層を有しており、前記表面層の裏面側に残量表示標識が付されていることを特徴とする請求項１に記載のラップフィルム用のコア。
【請求項３】
前記残量表示標識がくじの要素を含んでいることを特徴とする請求項１又は２に記載のラップフィルム用のコア。
【請求項４】
請求項１〜３のいずれか１項に記載のコアに巻き付けられたラップフィルムの残量が所定量以下となった場合に、前記残量表示標識が前記ラップフィルムの外部から見えるようになっていることを特徴とするラップフィルム用のコア。
【請求項５】
請求項１〜３のいずれか１項に記載のコアと、前記コアに巻き付けられたラップフィルムとからなり、
前記ラップフィルムの残量が所定量以下となった場合に、前記コアの前記残量表示標識が前記ラップフィルムの外部から見えるようになっていることを特徴とするコア付きラップフィルム。
【請求項６】
請求項１〜３のいずれか１項に記載のコアに巻き付けられたラップフィルムと、前記ラップフィルムを収容する容器とからなり、
前記ラップフィルムの残量が所定量以下となった場合に、前記コアの前記残量表示標識が前記ラップフィルムの外部から見えるようになっていることを特徴とする包装具。
【発明の詳細な説明】
【０００１】
【発明の属する技術分野】
本発明は、食品包装用等の透明ラップフィルムに関し、特にラップフィルムを巻き付けるための円筒状のコアに関するものである。
【０００２】
【従来の技術】
食品包装用ラップフィルムは紙製の円筒状のコアに巻き付けられた状態で使用されるのが一般的である。このようなラップフィルムは、通常、直方体形状の紙製容器内に収容されて用いられるため、残量が分りにくく、新しいラップフィルムを用意する前に完全に使い切ってしまうことが多々ある。
【０００３】
かかる問題点に対しては、残量が少ない旨を表示した紙片を、巻かれたラップフィルム間の適所に挟み込んだものがある。
【０００４】
しかしながら、残量表示用紙片をラップフィルム間に挟む工程をラップフィルムの巻取工程の途中に入れることは、巻取速度を低下させ、生産性を損なう原因となる。
【０００５】
【発明が解決しようとする課題】
本発明は、以上の事情に鑑みてなされたものであり、ラップフィルムが残り少なくなったことを使用者に知らしめる手段を提供することを目的としている。
【０００６】
【課題を解決するための手段】
上記目的を達成するために、本発明は、透明なラップフィルムを巻き付けるためのコアにおいて、文字、図形若しくは記号又はこれらの結合等からなる残量表示標識を外部から見うるように付したことを特徴としている。
【０００７】
かかる標識の濃淡や色を調整することにより、コアに巻かれたラップフィルムの残量が少なくなってきた時にラップフィルムの外側から視覚により認識することが可能となる。
【０００８】
また、本発明は、上述したようなコアに巻き付けられたラップフィルム、及び、そのようなコア付きラップフィルムを容器に収容してなる包装具にも及ぶものである。この場合、ラップフィルムの透明度や容器内に収容されたラップフィルムへの光の到達度等を勘案し、コアの残量表示標識は、ラップフィルムの残量が所定量以下となった場合に、ラップフィルムの外部から見えるよう調整されている。
【０００９】
【発明の実施の形態】
以下、図面と共に本発明の好適な実施形態について詳細に説明する。
【００１０】
図１は、本発明に従って構成されたラップフィルム用のコア１０の一実施形態を示しており、図２は、ラップフィルム１２が巻かれたコア１０を紙製の容器１４に収容してなる包装具を示している。ここで、本実施形態のコア１０に巻かれるラップフィルム１２は食品包装用の一般的なもので、ポリ塩化ビニリデンを原材料とする透明フィルムとする。
【００１１】
図１に示すように、本発明のコア１０は、従来一般のものと同様に、ボール紙等の厚紙からなる管状体１６と、この管状体１６の外周面に上質紙等の薄紙を螺旋状に巻き付け接着してなる表面層１８とから構成されている。
【００１２】
この表面層１８の裏面には、文字、図形若しくは記号又はこれらの結合からなる残量表示標識２０が印刷されている。この標識２０は、薄紙の裏面となる側の面に予め印刷されたものである。コア１０に使用される薄紙は一般的に白色で且つ非常に薄いため、印刷面を管状体１６側に向けて管状体１６に貼り付けても、残量表示標識２０はコア１０の外側から視認することができる。
【００１３】
表面層１８の裏面側に残量表示標識２０を印刷したのは、コア１０の外周面に接する部分のラップフィルム１２も使用に供されるので、印刷用インクがラップフィルム１２に転着するのを防止するためである。これによって、印刷インクの種類に注意を払う必要がなくなり、印刷という簡便な方法で残量表示標識２０をコア１０に付すことができる。
【００１４】
このようなコア１０にラップフィルム１２を巻き付けると、巻き数が増すにつれて残量表示標識２０は見えにくくなっていく。これは、ラップフィルム１２は完全な透明ではないので、巻き数が増加すれば光の透過率も低下するためである。すなわち、ラップフィルム１２の残量が多ければ、残量表示標識２０からの反射光のエネルギー量が減るため、外部からは残量表示標識２０が見えにくくなるのである。この反射光のエネルギー量は、残量表示標識２０の濃淡や色等を変えることにより変化させることができる。従って、残量表示標識２０の濃淡や色等を適宜調整するにより、ラップフィルム１２が所望の巻き数のところで、多くの人間が残量表示標識２０を見うる状態とすることができる。例えば２０ｍ巻きのラップフィルム１２の場合には、残量が約５ｍとなる近辺で残量表示標識２０が見え出すよう設定することが好ましい。勿論、入射光のエネルギー量の違い等の諸条件により、残量表示標識２０が視認できるラップフィルム１２の残量は異なるが、一般家庭のキッチンでの蛍光灯のワット数等を考慮して最適な条件を見いだすことが好ましい。なお、色彩については、食品用であることから、明るい色合いが好ましく、例えば赤色系が好ましい。但し、黄色系では見にくいことが分っている。
【００１５】
このようなコア１０にラップフィルム１２を巻き付けたものは、図２に示すような直方体形状の紙製容器１４に収容されて使用される。使用時、容器１４の蓋２２を開け、ラップフィルム１２を所望量だけ引き出してカッター２４で切断するが、蓋２２を開けた際に残量表示標識２０が見えた場合、使用者はラップフィルム１２が残り少ないことを認識でき、使い切る前に新しいラップフィルム１２を用意しておくことができる。なお、図２において、符号２６は透明フィルム２８が設けられた窓であり、この窓２６により、蓋２２を開けずともコア１０上のラップフィルム１２の表面を容器１４の外部から見ることが可能となっている。
【００１６】
次に、コア１０上の残量表示標識２０が見える時点の残量を実際に確認した試験結果について説明する。この試験は、５人のモニターにより、容器に収容してない状態で見た場合と、容器１４に入れたままで図２の如く蓋２２を開けて見た場合の２通りで行った。試験結果は次の通りである。
【００１７】
【表１】
0003697014.tif 000002
【００１８】
この試験結果では、全て、残量表示標識２０が見える時点の残量が６ｍ以上となっているが、これはモニターがラップフィルム１２の表面を凝視しているためであり、一般的な使用態様においては約５ｍ前後の残量で標識２０が視認されるものと予想される。また、ラップフィルム１２を容器１４に収容していない状態での試験で残量が大きくなっているのは、入射光の光量が多いためと考えられる。
【００１９】
以上、本発明の好適な実施形態について説明したが、本発明は上記実施形態に限定されないことはいうまでもない。例えば、上記実施形態では、残量表示標識２０が表面層１８となる薄紙の裏面に印刷することとしているが、厚紙製の管状体１６の外周面に印刷等してもよい。また、印刷用インクが衛生面に何等問題ないならば、表面層１８の外周面、すなわちコア１０の外周面に印刷してもよい。更に、残量表示標識２０を付す手段は印刷に限られず、残量表示標識２０が印刷されたシール或は標識自体となるシール（図示せず）をコア１０に貼り付ける手段等がある。
【００２０】
また、残量表示標識２０の絵柄や文字、記号の内容も種々変更可能であり、「当たり」、「はずれ」等の文字によりくじ的な要素とすることも考えられる。この場合、ラップフィルム１２の使用に娯楽性を与えることができる。
【００２１】
更に、コア１０の材質は紙に限らず、合成樹脂であってもよい。
【００２２】
【発明の効果】
以上述べたように、本発明によれば、ラップフィルムが残り少なくなったことを残量表示標識が見えた時点で知ることができ、新しいラップフィルムを準備しておくことができる。
【００２３】
また、残量表示標識は予めコアに印刷等しておけばよいので、ラップフィルムの巻取速度を下げる必要はなく、生産性が低下することもない。
【図面の簡単な説明】
【図１】本発明によるコアの一実施形態を示す斜視図である。
【図２】本発明による包装具、すなわち図１のコアに巻き付けられたラップフィルムが容器に収容されている状態を示す斜視図である。
【符号の説明】
１０…コア、１２…ラップフィルム、１４…容器、１６…管状体、１８…表面層、２０…残量表示標識、２２…蓋、２４…カッター、２６…窓、２８…透明フィルム。
【図１】
0003697014.tif 000003
【図２】
0003697014.tif 000004